(57)【要約】【課題】広範囲に洗浄水を噴射し、被洗浄物の洗浄性能を高めること。【解決手段】洗浄水を加圧する洗浄ポンプ６と、回転しながら噴射口より洗浄水を噴射し、かつ内部に少なくとも２つの洗浄経路を有する回転洗浄手段７と、洗浄経路に選択的に洗浄水を供給する分水手段１３とを備え、回転洗浄手段７は、洗浄経路を切り換え、回転方向が変化する構成とし、分水手段１３は、移動可能な弁体２７と、弁体２７を駆動する電動駆動手段３０を備え、分水手段１３の切換時に、洗浄ポンプ６を停止する構成とし、複数の噴射口２３から広範囲に噴射することに加え、回転洗浄手段７の回転方向を正転逆転に変化させ、回転方向に依存する被洗浄物間への洗浄水の浸入ムラを少なくでき、洗浄性能が向上する。また、分水手段１３の切り換え時に、洗浄ポンプ６を停止して、電動駆動手段３０に負荷をかけずに、切換を安定させることができる。【選択図】図１
2010148542.tif 000002
【特許請求の範囲】
【請求項１】
食器等の被洗浄物を収容する洗浄槽と、洗浄水を加圧するポンプと、回転しながら噴射口より洗浄水を噴射し、かつ内部に少なくとも２つの洗浄経路を有する回転洗浄手段と、前記洗浄経路に選択的に洗浄水を供給する分水手段とを備え、前記回転洗浄手段は、洗浄経路を切り換えることで、その回転方向が変化する構成とし、前記分水手段は、移動可能に設けた弁体を有し、前記弁体を駆動する電動駆動手段を備え、前記分水手段の切り換え時には、前記洗浄ポンプを停止するようにした食器洗い機。
【請求項２】
各々の洗浄経路は、分岐して、回転洗浄手段の回転中心の両側に経路を構成し、両側の洗浄経路には異なる面積の噴射口を備えた請求項１記載の食器洗い機。
【請求項３】
各々の洗浄経路は、分岐して、回転洗浄手段の回転中心と点対称の位置に経路を構成した請求項１または２に記載の食器洗い機。
【請求項４】
回転洗浄手段の洗浄経路と洗浄槽側の洗浄経路との接続部における複数の洗浄経路の断面積は、異なるように設定した請求項１〜３のいずれか１項に記載の食器洗い機。
【請求項５】
複数の洗浄経路を流れる洗浄水の流量は、異なるように設定した請求項１〜４のいずれか１項に記載の食器洗い機。
【請求項６】
回転洗浄手段の洗浄経路と洗浄槽側の洗浄経路との接続部における洗浄槽側の洗浄経路は、略２重円筒状に形成し、分水手段により分岐された経路は、前記略２重円筒状の外側の経路に側方より接続する構成とした請求項１〜５のいずれか１項に記載の食器洗い機。
【請求項７】
分水手段の切り換え時には、洗浄ポンプを停止した後に、弁体が移動するようにした請求項１〜６のいずれか１項に記載の食器洗い機。
【発明の詳細な説明】
【技術分野】
【０００１】
本発明は、洗浄水を用いて食器等を洗浄する食器洗い機に関するものである。
【背景技術】
【０００２】
従来、この種の食器洗い機は、以下のような構成であった（例えば、特許文献１参照）。洗浄水を加圧する洗浄ポンプと、内部に２個の洗浄水経路を有し、噴射口からの洗浄水の噴射反力で回転する回転洗浄手段と、回転洗浄手段への洗浄水の流入部に設けた回転洗浄手段ロータと、回転洗浄手段ロータに内包され係止されるとともに側壁面に洗浄水経路への入口に対応する開口部を形成した弁体とを備え、洗浄ポンプの起動時には回転洗浄手段ロータと弁体が係合して上昇し、回転洗浄手段と一体になって回転し一方の洗浄水経路に洗浄水を供給する。
【０００３】
洗浄ポンプを停止すると、弁体は降下し、回転洗浄手段ロータと弁体との係止位置が回転洗浄手段の慣性力により所定量移動し、再び洗浄ポンプを運転すると、弁体は再び係合して上昇し、弁体の開口部は１８０度回転した位置で他方の洗浄水経路への入口と対応するように構成されていた。２個の洗浄水経路には、各々異なる噴射角度、噴射位置を有する噴射口を備えており、洗浄ポンプの運転、停止を繰り返し、これらの経路を切り換えることで、広範囲に洗浄水を噴射し、従来と同等の洗浄ポンプ性能でも、洗浄性能が向上するようになっていた。
【特許文献１】特開昭６３−９２３２２号公報
【発明の開示】
【発明が解決しようとする課題】
【０００４】
しかしながら、従来の食器洗い機では、回転洗浄手段内の洗浄水経路を切り換えることで、広範囲に洗浄水を噴射できるものの、回転洗浄手段の回転方向は一方向のみであった。並べてセットされた食器等の被洗浄物の内側への洗浄水の浸入性は、回転洗浄手段の回転方向に依存するため、従来の食器洗い機では、洗浄水の浸入性を向上させることはできず、被洗浄物のセット方向によって、洗浄力が強いところと弱いところの差が生じてしまっていた。
【０００５】
本発明は、前記従来の課題を解決するもので、広範囲に洗浄水を噴射し、かつ被洗浄物の内側への洗浄水の浸入性を高め、より洗浄槽内全体を均一に噴射することで、洗浄性能を高めることを目的とする。
【課題を解決するための手段】
【０００６】
前記従来の課題を解決するために、本発明の食器洗い機は、食器等の被洗浄物を収容する洗浄槽と、洗浄水を加圧する洗浄ポンプと、回転しながら噴射口より洗浄水を噴射し、かつ内部に少なくとも２つの洗浄経路を有する回転洗浄手段と、前記洗浄経路に選択的に洗浄水を供給する分水手段とを備え、前記回転洗浄手段は、洗浄経路を切り換えることで、その回転方向が変化する構成とし、前記分水手段は、移動可能に設けた弁体を有し、前記弁体を駆動する電動駆動手段を備え、前記分水手段の切り換え時には、前記洗浄ポンプを停止する構成としたものであり、洗浄水が流入する洗浄経路を切り換え、複数の噴射口から広範囲に洗浄水を噴射することに加え、回転洗浄手段の回転方向を正転逆転に変化することで、回転洗浄手段の回転方向に依存する被洗浄物間への洗浄水の噴射による浸入ムラを少なくし、より洗浄槽全体の被洗浄物に均一に洗浄水を噴射することができ、洗浄性能が向上する。洗浄ポンプの能力が同等であっても、洗浄性能の向上が図れる。
【０００７】
また、分水手段の切り換え時には、洗浄ポンプを停止することで、電動駆動手段に負荷をかけずに、切換を安定させることができる。
【発明の効果】
【０００８】
本発明の食器洗い機は、洗浄水を噴射する回転洗浄手段の回転方向を切り換えることで、噴射の回転方向の依存性をなくし、洗浄性能を向上することができる。
【発明を実施するための最良の形態】
【０００９】
第１の発明は、食器等の被洗浄物を収容する洗浄槽と、洗浄水を加圧する洗浄ポンプと、回転しながら噴射口より洗浄水を噴射し、かつ内部に少なくとも２つの洗浄経路を有する回転洗浄手段と、前記洗浄経路に選択的に洗浄水を供給する分水手段とを備え、前記回転洗浄手段は、洗浄経路を切り換えることで、その回転方向が変化する構成とし、前記分水手段は、移動可能に設けた弁体を有し、前記弁体を駆動する電動駆動手段を備え、前記分水手段の切り換え時には、前記洗浄ポンプを停止する構成としたものであり、洗浄水が流入する洗浄経路を切り換え、複数の噴射口から広範囲に洗浄水を噴射することに加え、回転洗浄手段の回転方向を正転逆転に変化することで、回転洗浄手段の回転方向に依存する被洗浄物間への洗浄水の噴射による浸入ムラを少なくし、より洗浄槽全体の被洗浄物に均一に洗浄水を噴射することができ、洗浄性能を向上する。洗浄ポンプの能力が同等であっても、洗浄性能の向上が図れる。
【００１０】
また、分水手段の切り換え時には、洗浄ポンプを停止することで、電動駆動手段に負荷をかけずに、切換を安定させることができる。
【００１１】
第２の発明は、各々の洗浄経路は、分岐して、回転洗浄手段の回転中心の両側に経路を構成し、両側の洗浄経路には異なる面積の噴射口を備えたもので、噴射流量と洗浄圧の組み合わせを回転洗浄手段の場所によって変えることで、より最適で効率的な洗浄が行える。
【００１２】
第３の発明は、各々の洗浄経路は、分岐して、回転洗浄手段の回転中心と点対称の位置に経路を構成したものであり、従来のように、回転洗浄手段の長手方向に左右２分割されている場合には、回転洗浄手段には、噴射反力により、常に傾くような力が作用してしまうが、回転中心に点対称の位置に洗浄経路を設けることで、左右のバランスを取ることができる。これにより、回転洗浄手段が傾斜しながら回転することによる回転洗浄手段と洗浄槽側の洗浄経路との接続部からの水漏れによる洗浄性能の低下や、接続部の局部的な磨耗による回転不良の発生などを抑制することができる。
【００１３】
第４の発明は、回転洗浄手段の洗浄経路と洗浄槽側の洗浄経路との接続部における複数の洗浄経路の断面積は、異なるように設定したものであり、洗浄経路によって、噴射の流量や噴射圧を変えることができ、食器等の被洗浄物に対して最適で効率的な洗浄が行える。
【００１４】
第５の発明は、複数の洗浄経路を流れる洗浄水の流量は、異なるように設定したもので、噴射口の数や噴射圧を変えることができ、食器等の被洗浄物に対して最適で効率的な洗浄が行える。
【００１５】
第６の発明は、回転洗浄手段の洗浄経路と洗浄槽側の洗浄経路との接続部における洗浄槽側の洗浄経路は、略２重円筒状に形成し、分水手段により分岐された経路は、前記略２重円筒状の外側の経路に側方より接続する構成としたものであり、回転洗浄手段の下方部に必要な機構部分の高さを低く抑えることができ、本体の高さを同一とした場合に、より食器等を収納する洗浄槽の高さ方向を大きく確保することが可能で、被洗浄物の収容量が
増加したり、大型食器やフライパンなどの大型調理器具も収容できるなどの効果がえられる。
【００１６】
第７の発明は、分水手段の切り換え時には、洗浄ポンプを停止した後に、弁体が移動するようにしたもので、洗浄水が流れていない状態で、電動駆動手段を駆動させるため、より電動駆動手段に負荷をかけずに、切換を安定させることができる。
【００１７】
（実施の形態１）
図１は、本発明の第１の実施の形態における食器洗い機の主要断面図、図２、３は要部平面図である。図において、食器洗い機本体１には、扉で開閉可能な洗浄槽２を設け、食器等の被洗浄物３は食器かご４にセットされ、洗浄槽２内に収容する。給水弁５は洗浄槽２に洗浄水を供給する。洗浄ポンプ６は洗浄水を加圧して、複数の噴射口を設けた回転洗浄手段７に供給し、回転洗浄手段７より洗浄水を噴射することで被洗浄物３の洗浄を行なう。洗浄槽２の底部には、洗浄ポンプ６の吸い込み側と連通した排水口８を有し、この排水口８には残さいを収集する残さいフィルタ９を備えている。また、加熱用の発熱体１０を設け、洗浄槽２の温度を検知する温度センサ１１を設けている。
【００１８】
洗浄ポンプ６の吐出毛色１２に分水手段１３を設置し、吐出経路１２は、分水手段１３により、第１の本体洗浄経路１４と第２の本体洗浄経路１５に分岐され、洗浄槽２の下部に導かれ、略２重円筒状に形成されており、内側の第１の本体流入経路１６は、第１の本体洗浄経路１４と、外側の第２の本体流入経路１７は、第２の本体洗浄経路１４と各々その側方より連通している。また、回転洗浄手段７は、洗浄槽２内の下部に設けた軸受部１８にガイドされ、軸受部１８を中心に回転可能に構成されており、第１の本体流入経路１６と第２の本体流入経路１７の略２重円筒状経路部は、この軸受部１８の下端部に接続されている。
【００１９】
回転洗浄手段７内には、第１の洗浄経路１９と第２の洗浄経路２０を有しており、回転洗浄手段７への洗浄水の流入部も、本体流入経路と同様に、略２重円筒状の第１の流入経路２１と第２の流入経路２２を形成している。各流入経路は、本体流入経路の２重円筒状経路部と接続しながら回転可能に構成されており、回転する回転洗浄手段７に、連続的に洗浄水を供給できるようになっている。図３の斜線部は、各流入部の経路の開口部を示している。
【００２０】
また、各々の洗浄経路は、回転洗浄手段７内で２つに分岐され、回転洗浄手段７の回転中心の両側に点対称位置に構成している。回転洗浄手段７の第１の洗浄経路１９、第２の洗浄経路２０には、洗浄水を被洗浄物に対して噴射する複数の噴射口２３を備えており、この噴射の反力によって回転洗浄手段７は軸受部１８を中心に回転しながら洗浄を行う。噴射口２３は、形状、面積、噴射方向や角度等の異なる噴射口を備えている。
【００２１】
分水手段１３は、図４、図５に示す構造をしている。洗浄ポンプ６で加圧された洗浄水が流入する流入部２４と複数の流出部２５を有するケーシング２６と、ケーシング２６内に回転可能に設けた弁体２７とで構成され、弁体２７には洗浄水を通過させる開口部２８を設けている。弁体２７は、駆動軸２９を介してケーシング２６外に設けられた電動駆動手段３０に接続され、駆動軸２９とケーシング２６の間は、オイルシール等で水漏れしないようにシールされている。
【００２２】
ここでは、弁体２７の開口部２８を図５のように開口しているが、開口部の数、大きさ、形状は、分水手段の流出部２５や、洗浄手段の噴射パターンに合わせて、変更してもよいことは、言うまでもない。
【００２３】
なお、図４等は、概念的な図であり、実際には、ケーシング２６は上下に２分割して、ビス止めや嵌め込み、溶着や溶接等で結合された構造となる。また、洗浄槽２が樹脂製の場合など、この洗浄槽２の底面と一体でケーシング２６の一部を構成することも可能である。
【００２４】
流出部２５は図２では、４つ設けているが、本実施の形態では、流出部Ａと流出部Ｂは第１の本体洗浄経路１４に接続され、流出部Ｃと流出部Ｄは第２の本体洗浄経路１５に接続されている。流出部Ａ、Ｂと流出部Ｃ、Ｄの間には、仕切があり、互いに洗浄水が親友しない構成になっている。
【００２５】
上記構成において、まず、食器洗い機の基本動作について説明する。食器等の被洗浄物３を食器かご４にセットして洗浄槽２に収納し、洗剤を投入した後、扉等により食器洗い機本体１の開口部を閉塞し、運転を開始する。被洗浄物３の汚れを落とす洗浄工程、付着した洗剤や残さいを流すすすぎ工程、そして被洗浄物３に付着している水滴を乾燥させる乾燥工程の順に実行する。
【００２６】
まず、給水弁５を動作して所定量の洗浄水を洗浄槽２に給水し、つづいて洗浄ポンプ６により洗浄水を加圧し、回転洗浄手段７から洗浄水を噴射する。この際、洗浄槽２内に設けたシーズヒータ等の発熱体１０は通電されており、洗浄水を加熱しながら洗浄工程は行われる。また、温度センサ１１は洗浄槽２の温度を検知しており、所定温度以上になると発熱体１０への通電を停止する。洗浄水の循環は、残さいフィルタ９を通過し、洗浄ポンプ６に吸いこまれ、洗浄ポンプ６より洗浄槽２の内底部に設けた回転洗浄手段７に供給され、この回転洗浄手段７の噴射口２３から噴射され、被洗浄物３を洗浄した後、再び排水口８に戻るという経路で行われる。この際、被洗浄物３から脱落した残さい等は、洗浄水とともに残さいフィルタ９に流入し、フィルタを通過できない大きさの残さいは残さいフィルタ９に捕集される。
【００２７】
所定時間の洗浄工程を終えると、汚れを含む洗浄水は、洗浄ポンプ６のモータを反転させて、弁を開口させ、別の吐出口から洗浄水を本体１外へ排出する。また、別に、排水ポンプを設けて、排水してもよい。洗浄水は、排水ポンプ等により本体１外に排出され、新たに洗浄水が供給される。洗浄ポンプ６を運転し、回転洗浄手段７から再び洗浄水を噴射して、洗剤や残さい等の付着した被洗浄物３のすすぎを行う。所定時間運転した後、洗浄水を排出し、再び洗浄水を供給するという動作を繰り返し、このすすぎ工程は連続して３回程度行う。最後に、洗浄水を食器洗い機本体１外に排出して、すすぎ工程は終了する。つづいて所定時間乾燥工程を行い、運転を終了する。
【００２８】
次に、本実施の形態の特徴的な構成である分水手段１３と回転洗浄手段７の動作、作用について説明する。分水手段１３は、図４に示す断面図のように、ケーシング２６は略円筒形であり、洗浄ポンプ６から洗浄水が流入する流入部２４はケーシング２６下端部に、分岐された洗浄水が流出する流出部２５はケーシング２６の上面に設置している。図６に示したように、流出部２５を４つ設置し、分水手段１３としては４箇所に分岐しているが、２つの流出部２５を１つの本体洗浄経路に接続している。
【００２９】
弁体２７は略平面形状をしており、流出部２５と弁体２７との相対する面Ａも平面形状としている。洗浄ポンプ６を停止した時に、電動駆動手段３０で、約９０度回転し、所定の流出部が開口するような位置で固定され（図６）、この流出部と連通した本体洗浄経路に洗浄水が供給される。洗浄ポンプ６を停止することで、洗浄水の水圧による影響を弁体２７が受けないので、電動駆動手段３０に余計な負荷がかからず、スムーズに切り換えることができる。弁体２７と面Ａの間は、ほとんど隙間がなく、弁体２７は、回転しながら擦動する。弁体の開口部２８の位置検知は、電動駆動手段３０の出力回転数から、角度を
駆動時間で制御したり、弁体２７の一部に凹凸状のリブ等をつけ、回転時にマイクロスイッチ等で検知してもよい。このように、洗浄ポンプ６を断続的に運転することで、洗浄水が流出する流出部を順次切り換えて運転する。
【００３０】
図２では、流出部Ａと流出部Ｂは、第１の本体洗浄経路１４に、流出部Ｃと流出部Ｄは、第２の本体導水経路１５に各々接続されているため、上記分水手段１３の切り換えにより、第１の本体洗浄経路１４、第１の本体洗浄経路１４、第２の本体洗浄経路１５、第２の本体洗浄経路１５の順に経路の切り替えが繰り返されることになる。
【００３１】
２つの本体洗浄経路は、洗浄槽２の下方で、回転洗浄手段７に接続されているため、上記分水手段１３の切り換え動作により、図３で、第１の洗浄経路１９、第１の洗浄経路１９、第２の洗浄経路２０、第２の洗浄経路２０の順に洗浄水が流入する。各々の洗浄経路は２本に分岐され、回転洗浄手段７の回転中心の左右両側に、点対称の位置に形成し各々の洗浄経路には種々の角度や方向、大きさの噴射口２３が設置している。回転洗浄手段７は、噴射反力により回転するものであり、第１の洗浄経路１９に流入した場合には、左回転、第２の洗浄経路２０に流入した場合には右回転するよう設定している。これにより、分水手段１３を切り換えることで、回転洗浄手段７は右回転、左回転を切換ながら洗浄水を噴射して洗浄を行う。
【００３２】
なお、ここでは、分水手段１３を用いた場合に、正逆交互ではなく、正正逆逆となるが、弁体２７の動作、停止を繰り返すことで、回転洗浄手段７の回転方向および噴射を切り換えることができる。
【００３３】
回転洗浄手段７の２つの洗浄経路は、それぞれ異なる噴射口を備えており、例えば、図３では、正回転用６個、逆回転用６個の噴射口を備えている。
【００３４】
皿類は平面形状に近いため、上向き方向に洗浄水を噴射すれば、正逆回転の依存は少ないが、碗類や深さの深い皿類などに対しては、斜め方向に噴射しなければその内側に入り込むことは困難であり、洗浄できない。また、回転洗浄手段７は、噴射の反力により回転させるように構成しており、噴射の傾きが、直上より傾斜した噴射の回転力の合計が回転推進力となるため、回転に対して後退方向の噴射が多くなる。このため、一方向の回転だけでは、場所によって、傾斜した噴射の強弱が存在し、洗浄力のムラを生じていた。本発明のように、回転洗浄手段７を、正逆回転方向に切り換えることで強弱の関係が反対になるため、正回転では、浸入性の悪かった部位への浸入性が良化し、これらを繰り返すことで、洗浄力のムラを解消でき、洗浄槽全体を均一に洗浄できる。従来なら、洗浄力の弱い場所に合わせて、洗浄時間等の洗浄条件を決めていたが、洗浄力のムラをなくし洗浄力の弱部の洗浄力を高めることで、洗浄力が向上し、洗浄時間の短縮が図れるなど、効率的な洗浄が行える。
【００３５】
なお、回転洗浄手段７を回転させるための推進専用の噴射口２３から真横に噴射させることができれば、前方噴射と後方噴射を略同一にすることはできるが、真横への噴射は無駄な噴射であり、斜め上方に向けて洗浄に利用する方がよいことは言うまでもない。
【００３６】
また、食器等に付着した洗剤や残さいを短時間ですすぐことができるため、すすぎ回数を削減することが可能である。例えば、すすぎを４回工程で行っていたものを３回工程に減少させることが可能である。１回の給水量を増加させることなく、しかもすすぎ回数を削減できることから、ヒータを用いた洗浄水の加熱時間も短縮することができる。よって、省エネ、省水量をも実現することができる。
【００３７】
また、噴射口の数を増やすと、噴射する水量が増えることで、本体を循環する流量が増
える。したがって、洗浄中やすすぎ中の水位は減少し、ポンプは、エアがみをおこす。このため、給水量を増加して水位を高く保つ必要があるが、本発明は、分水手段１３により、噴射口２３を切り換えるので、給水量を増大させることなく噴射口２３の数を増やすことができ、食器等の被洗浄物３に対して、節水しながらも多方向から洗浄水を噴射させる洗浄方式とすることができる。よって、使用者は被洗浄物３のかごへのセット位置や、向き等のセット方法を選ぶことなく自由にセットできるため、よりセット性に優れた食器洗い機とすることができる。さらには、角鉢、深い小鉢、角皿等、単一方向からの噴射では洗浄水が十分行き届かなかった食器に対しても十分な洗浄性能を発揮することができる。
【００３８】
なお、１つの洗浄経路を介して、回転洗浄手段７から噴射する時間は、数秒から３分程度で切り換えれば、効率的な洗浄が行えるが、１回の洗浄ないしすすぎ工程中に、少なくとも１回はすべての噴射口から噴射されるように設定することが望ましい。したがって、１０秒から１分程度に設定すればよい。
【００３９】
また、各々の洗浄経路は、分岐して、回転洗浄手段７の回転中心の両側に経路を構成し、両側の洗浄経路には異なる面積の噴射口２３を備えることで、噴射流量と洗浄圧、噴射流形、噴射の組み合わせ等を回転洗浄手段７の場所によって変えることで、より最適で効率的な洗浄が行える。また、噴射口２３の回転洗浄手段７の回転中心からの位置や、噴射角度を変えても、より広範囲に洗浄水を噴射させ、より食器等被洗浄物３への浸入性が向上する。
【００４０】
また、各々の洗浄経路は、分岐して、回転洗浄手段７の回転中心と点対称の位置に経路を構成したものであり、従来のように、回転洗浄手段７の長手方向に左右２分割されている場合には、回転洗浄手段７には、噴射反力により、常に傾くような力が作用してしまうが、回転中心に点対称の位置に洗浄経路を設けることで、左右のバランスをとることができる。これにより、回転洗浄手段７が傾斜しながら回転することによる回転洗浄手段７と洗浄槽２側の洗浄経路との接続部からの水漏れによる洗浄性能の低下や、接続部の局部的な磨耗による回転不良の発生などを抑制することができる。
【００４１】
また、回転洗浄手段７の洗浄経路と洗浄槽２側の本体洗浄経路との接続部における第１、２の洗浄経路と、第１、２の本体洗浄経路の、それぞれの洗浄経路の断面積は、異なるように設定することで、洗浄経路によって、噴射の流量や噴射圧を変えることができ、食器等の被洗浄物３に対して最適で効率的な洗浄が行える。
【００４２】
また、回転洗浄手段７の第１の洗浄経路１９と第２の洗浄経路２０の断面積や、流路形状を変えることで、洗浄水の流量を、それぞれの経路で異なるように設定でき、噴射口２３の数や噴射圧を変えることができ、食器等の被洗浄物３に対して最適で効率的な洗浄が行える。また、各洗浄経路で、経路の内圧が変わるため、洗浄ポンプ６にかかる負荷、例えば、モータ回転数や入力電流値を検知して、弁体の開口部２８の位置検知ができるので、食器点数の多い下かごの洗浄時間を長くでき、また、食器かご４に、部分的に食器等被洗浄物３を設定した時でも、集中的にその部分を洗浄でき、効率よく洗浄することができる。
【００４３】
また、回転洗浄手段７の洗浄経路と洗浄槽２側の本体洗浄経路との接続部における洗浄槽２側の本体洗浄経路は、略２重円筒状に形成し、分水手段１３により分岐された本体洗浄経路は、略２重円筒状に形成された外側の経路に側方より接続する構成としたことで、回転洗浄手段７の下方部に必要な機構部分の高さを低く抑えることができ、本体の高さを同一とした場合に、より食器等を収納する洗浄槽２の高さ方向を大きく確保することが可能で、被洗浄物の収容量を増加でき、大型食器やフライパンなどの大型調理器具も収容できるなどの効果が得られる。
【００４４】
分水手段１３の切り換え時には、洗浄ポンプ６を停止した後に、弁体２７が移動するようにしたもので、洗浄水が流れていない状態で、電動駆動手段３０を駆動させるため、より電動駆動手段３０に負荷をかけずに、切り換えを安定させることができる。
【００４５】
また、本実施の形態では、分水手段１３は４分岐としたが、２分岐としても同様の効果が得られることは言うまでもない。この場合、回転洗浄手段７は、切り換え毎に、交互に正転、逆転を繰り返すことになる。
【００４６】
本発明は、食器洗い機の洗浄方式に関するものであり、食器洗い機本体１の形状や大きさ、扉の開閉方式、食器の配置、個々の部品の配置等を限定するものではない。また、実施の形態１では、乾燥機能を有する食器洗い乾燥機の例を示したが、乾燥機能を伴わない食器洗い機においても同様の効果が得られる。
【産業上の利用可能性】
【００４７】
以上のように、本発明にかかる食器洗い機は、洗剤量や噴射エネルギーを増加さえることなく、洗浄性能を高め、従来洗えなかった汚れも除去することが可能になるので、食器以外の洗浄機器にも適用できる。
【図面の簡単な説明】
【００４８】
【図１】本発明の実施の形態１の食器洗い機の主要断面図
【図２】同食器洗い機の要部平面図
【図３】同食器洗い機の回転洗浄手段の要部平面図
【図４】同食器洗い機の分水手段の要部断面図
【図５】同食器洗い機の弁体の要部平面図
【図６】同食器洗い機の弁体の要部断面図
【符号の説明】
【００４９】
６  洗浄ポンプ
７  回転洗浄手段
１３  分水手段
１４  第１の本体洗浄経路
１５  第２の本体洗浄経路
１８  軸受部
１９  第１の洗浄経路
２０  第２の洗浄経路
２３  噴射口
２７  弁体
３０  電動駆動手段
【図１】
2010148542.tif 000003
【図２】
2010148542.tif 000004
【図３】
2010148542.tif 000005
【図４】
2010148542.tif 000006
【図５】
2010148542.tif 000007
【図６】
2010148542.tif 000008